(57)【要約】【課題】ＩＣカードの盗難及びＩＣカード内のＩＣ等に記録されているデータの損傷を防止する電子機器を提供する。【解決手段】電子機器１０００は、ＩＣカード２００を筐体１００内に挿抜可能に収容するために筐体面に形成されたカード挿入口１１０と、少なくとも電源を供給するためのプラグ３００が挿抜可能に挿入されるプラグ受部１３１を有し、プラグ受部１３１を筐体面に露出するように筐体内に設けられたコネクタ１３０と、筐体面に着脱可能に取り付けられ、カード挿入口１１０の少なくとも一部を覆うカバー部１４０と、カバー部１４０に形成された開口部１４１と、を備え、プラグ３００が、プラグ３００及びプラグ受部１３１の間にカバー部１４０を介在させて、プラグ受部１３１に挿入されたとき、カバー部１４０は、プラグ３００及びプラグ受部１３１の間で保持される。【選択図】      図１
2014191427.tif 000002
【特許請求の範囲】
【請求項１】
ＩＣカードを筐体内に挿抜可能に収容するために前記筐体面に形成されたカード挿入口と、
少なくとも電源を供給するためのプラグが挿抜可能に挿入されるプラグ受部を有し、前記プラグ受部を前記筐体面に露出するように前記筐体内に設けられたコネクタと、
前記筐体面に着脱可能に取り付けられ、前記カード挿入口に挿入された前記ＩＣカードが抜けないように前記カード挿入口の少なくとも一部を覆うカバー部と、
前記プラグ及び前記プラグ受部の形状に応じて、前記カバー部に形成された開口部と、を備え、
前記プラグが、前記プラグ及び前記プラグ受部の間に前記カバー部を介在させて、前記プラグ受部に挿入されたとき、前記カバー部は、前記プラグ及び前記プラグ受部の間で保持される電子機器。
【請求項２】
前記カード挿入口及び前記プラグ受部は、前記筐体の同一面上に設けられた請求項１に記載の電子機器。
【請求項３】
前記カバー部に形成された第１の係止部と、
前記筐体面に形成され、前記第１の係止部と互いに係止し合う第２の係止部とを備えた請求項１又は２に記載の電子機器。
【請求項４】
前記第１の係止部は、前記カバー部の外周面側に形成され、
前記第２の係止部は、前記筐体面のうちで前記カバー部が取り付けられる面の外周部に凹状に形成された請求項３に記載の電子機器。
【請求項５】
前記第１の係止部は、前記筐体面と略平行に移動することにより、前記第２の係止部と互いに係止し合う請求項３に記載の電子機器。
【請求項６】
前記第１の係止部は、前記カバー部のうち前記筐体面と向かい合う面に突出するように形成され、
前記第２の係止部は、前記筐体面のうち前記第１の係止部と向かい合う位置に形成され、前記第１の係止部と嵌合する請求項３に記載の電子機器。
【発明の詳細な説明】
【技術分野】
【０００１】
本発明は、例えば、少なくとも電源を供給するためのプラグが挿抜可能に挿入され、ＩＣカードを挿抜可能に収容する電子機器等に関する。
【背景技術】
【０００２】
近年、例えばＳＤ（Secure  Digital）メモリーカード等のＩＣ（Integrated  Circuit）カードを挿抜可能に収容する電子機器が広く知られている。これらの電子機器において、ＩＣカードは、筐体面に露出するように設けられたカード挿入口に収納されており、容易に挿抜が可能であった。
【０００３】
上記に関連して、特許文献１には、ＩＣカード挿入口の少なくとも一部を覆う位置にロック板を具備することで、ＩＣカードの盗難を防止する技術が開示されている。
【０００４】
また、特許文献２には、外部電源プラグ経由で電力が供給されている際に、ＩＣカードの挿抜口をロックするロック手段を備える情報処理装置の技術が開示されている。
【先行技術文献】
【特許文献】
【０００５】
【特許文献１】特開２００６−００５６８７号公報
【特許文献２】特開２０１１−２１７１１０号公報
【発明の概要】
【発明が解決しようとする課題】
【０００６】
特許文献１に記載の技術は、ＩＣカードの盗難を防止することができる。一方で、ＩＣカードを通電中に挿抜することが可能なため、そうした場合にＩＣカード内のＩＣ等に記録されているデータが損傷するという問題があった。
【０００７】
また、特許文献２に記載の技術は、通電中のＩＣカードの挿抜がロックされるため、ＩＣカードに記録されているデータが損傷することを防止できる。一方で、無通電時において、ＩＣカードは自在に挿抜可能なため、第三者によって抜き取られ盗難される可能性があった。
【０００８】
本発明は、このような事情に鑑みてなされたものであり、本発明の目的は、ＩＣカードの盗難及びＩＣカード内のＩＣ等に記録されているデータの損傷を防止する電子機器を提供することにある。
【課題を解決するための手段】
【０００９】
上記目的を達成するため、本発明に係る電子機器は、ＩＣカードを筐体内に挿抜可能に収容するために前記筐体面に形成されたカード挿入口と、少なくとも電源を供給するためのプラグが挿抜可能に挿入されるプラグ受部を有し、プラグ受部を筐体面に露出するように筐体内に設けられたコネクタと、筐体面に着脱可能に取り付けられ、ＩＣカード挿入口に挿入されたＩＣカードが抜けないようにカード挿入口の少なくとも一部を覆うカバー部と、プラグ及びプラグ受部の形状に応じて、カバー部に形成された開口部と、を備え、プラグが、プラグ及びプラグ受部の間にカバー部を介在させて、プラグ受部に挿入されたとき、カバー部は、プラグ及びプラグ受部の間で保持される。
【発明の効果】
【００１０】
本発明によれば、ＩＣカードの盗難及びＩＣカード内のＩＣ等に記録されているデータの損傷を防止することができる。
【図面の簡単な説明】
【００１１】
【図１】本発明の第１の実施の形態における電子機器の構成を説明するための斜視図である。
【図２】本発明の第１の実施の形態における電子機器の構成を説明するための斜視図である。
【図３】本発明の第１の実施の形態における電子機器を筐体面側から見た正面図である。
【図４】本発明の第１の実施の形態における電子機器のカバー部を筐体面に取り付けた状態を示す図である。図４（ａ）は、本発明の第１の実施の形態における電子機器のカバー部を筐体面に取り付けた状態を示す斜視図である。図４（ｂ）は、図４（ａ）の電子機器の筐体面に取り付けられたカバー部側を拡大して示した図である。
【図５】本発明の第２の実施の形態における電子機器のカバー部を筐体面に取り付ける取り付け構造を説明するための図である。図５（ａ）は、本発明の第２の実施の形態におけるカバー部を示す斜視図である。図５（ｂ）は、カバー部を筐体面に取り付ける前の状態を示す図である。図５（ｃ）は、カバー部を筐体面に取り付けた後の状態を示す図である。図５（ｄ）は、図５（ｃ）のＡ−Ａ切断線を含み筐体面に対して略垂直な面で切断した断面図である。
【図６】本発明の第３の実施の形態における電子機器のカバー部を筐体面に取り付ける取り付け構造を説明するための図である。図６（ａ）、（ｂ）は、筐体面に取り付けられたカバー部を電子機器内部から見た図である。図６（ｃ）は、図６（ｂ）を電子機器の筐体面側から見た図である。
【図７】本発明の第４の実施の形態における電子機器のカバー部を筐体面に取り付ける取り付け構造を説明するための図である。図７（ａ）は、カバー部を筐体面に取り付ける前の状態を示す図である。図７（ｂ）は、第１の係止部と第２の係止部が嵌合した状態を示す図である。図７（ｃ）は、図７（ｂ）における第１の係止部と第２の係止部とが嵌合した状態を示す断面図である。図７（ｄ）は、カバー部を電子機器の筐体面に取り付けた後の状態を示す図である。図７（ｅ）は、図７（ｄ）のＢ−Ｂ切断線を含み筐体面に対して略垂直な面で切断した断面図である。
【図８】本発明の第５の実施の形態における電子機器のカバー部を筐体面に取り付ける取り付け構造を説明するための図である。図８（ａ）は、カバー部を筐体面に取り付ける前の状態を示す図である。図８（ｂ）は、カバー部を筐体面に取り付けた後の状態を示す図である。図８（ｃ）は、図８（ｂ）のＤ−Ｄ切断線を含み筐体面に対して略垂直な面で切断した断面図である。
【発明を実施するための形態】
【００１２】
＜第１の実施の形態＞
図１及び図２は、本発明の第１の実施の形態における電子機器１０００の構成を示している。図３は、本発明の第１の実施の形態における電子機器１０００を筐体面側から見た正面図である。なお、図３は、カバー部１４０を筐体面に取り付けていない状態を示す。図４（ａ）は、本発明の第１の実施の形態における電子機器１０００のカバー部１４０を筐体面に取り付けた状態を示す斜視図である。図４（ｂ）は、図４（ａ）の電子機器１０００の筐体面に取り付けられたカバー部１４０側を拡大して示した図である。
【００１３】
図２に示されるように、電子機器１０００は、筐体１００と、カード挿入口１１０と、プラグ受け穴１２０と、プラグ用コネクタ１３０と、カバー部１４０と、固定部材受け穴１５０と、ロック部材受け穴１６０と、ＩＣカード用コネクタ１７０とを有して構成されている。また、図１に示されるように、ＩＣカード２００は、電子機器１０００の筐体１００内に収容される。また、図２に示されるように、電子機器１０００の筐体面には、プラグ３００、固定部材４００及びロック部材５００が取り付けられる。なお、筐体面とは、電子機器１０００の筐体１００の一側面のことであり、筐体１００の一側面であればどこでもよい。
【００１４】
まず、図２及び図４を用いて、ＩＣカード２００、プラグ３００、固定部材４００及びロック部材５００について説明する。その後、電子機器１０００の各構成について、詳細に説明する。
【００１５】
図２に示されるように、ＩＣカード２００は、電子機器１０００の筐体面に形成されたカード挿入口１１０に挿入され、筐体１００内に挿抜可能に収容される。また、ＩＣカード２００は、カード挿入口１１０に挿入されたとき、電子機器１０００の筐体１００内にあるＩＣカード用コネクタ１７０に収容され電気的に接続される。具体的には、ＩＣカード２００は端子（不図示）を有しており、ＩＣカード２００の端子がＩＣカード用コネクタ１７０の端子（不図示）に接触して互いに電気的に接続する。また、後述するように、ＩＣカード用コネクタ１７０は、電子機器１０００の筐体１００内にある電子基板等（不図示）と電気的に接続されている。従って、ＩＣカード２００がカード挿入口１１０に挿入されると、ＩＣカード２００の端子と電子基板等とがＩＣカード用コネクタ１７０を介して電気的に接続される。これによって、ＩＣカード２００は、電子基板上の各種電子部品（不図示）によって、ＩＣカード２００内のデータの読み込みや書き込みが行われる。ＩＣカード２００は、例えば、ＳＤカード、ＳＩＭ（Subscriber  Identity  Module）カード、Ｂ−ＣＡＳ（Bs-Conditional  Access  System）カードなどの集積回路（ＩＣ）等が組み込まれたカードである。
【００１６】
次に、図２を用いて、プラグ３００について説明する。
【００１７】
図２に示されるように、プラグ３００は、プラグ本体３１０と端子３１１を有する。プラグ３００は、プラグ３００及びプラグ受部１３１の間に後述のカバー部１４０を介在させて、プラグ受部１３１に挿入される。具体的には、プラグ３００の端子３１１は、カバー部１４０のプラグ開口部１４１、プラグ受け穴１２０を介して、プラグ用コネクタ１３０のプラグ受部１３１に挿入され、プラグ用コネクタ１３０と電気的に接続する。プラグ３００は、携帯電話やパーソナルコンピュータやモバイルルータなどに用いられる少なくとも電源を供給するための電源プラグである。また、後述するように、プラグ用コネクタ１３０は、筐体１００内の電子基板等に電気的に接続されている。従って、プラグ３００の端子３１１がプラグ受部１３１に挿入されると、プラグ３００の端子３１１と電子基板等とが、プラグ用コネクタ１３０を介して電気的に接続される。また、プラグ３００の端子３１１側でない端部（不図示）は、家庭用コンセント（不図示）やバッテリ（不図示）などの電源供給源に接続されている。これによって、プラグ３００は、筐体１００内の電子基板上の各種電子部品に電源を供給する。ここでは、プラグ３００は、端子が１つある１端子（Ｐｉｎ）型の電源プラグを示しているが、１端子型に限らず２端子型でもよい。また、ここでは、プラグ３００は、Ｌ字型の電源プラグを示しているが、Ｌ字型に限るものではない。また、プラグ３００は、例えば、ＵＳＢ（Universal  Serial  Bus）プラグ等であってもよい。
【００１８】
図２に示されるように、プラグ本体３１０は、プラグ３００の一端に設けられ、端子３１１を保持している。また、プラグ本体３１０の外周は、端子３１１の外周よりも大きい。
【００１９】
図２に示されるように、端子３１１は、プラグ本体３１０から突出するように設けられている。端子３１１は、プラグ３００がプラグ受部１３１に挿入されたとき、プラグ受部１３１を介してプラグ用コネクタ１３０に電気的に接続される。
【００２０】
次に、図２及び図４を用いて、固定部材４００について説明する。
【００２１】
図４に示されるように、固定部材４００は、カバー部１４０の固定部材開口部１４２を介して筐体面の固定部材受け穴１５０に固定される。これにより、カバー部１４０は筐体面に着脱可能に固定して取り付けられる。また、固定部材４００は、例えば、ネジ等である。しかしながら、固定部材４００は、ネジに限定されるものではなく、カバー部１４０を筐体面に着脱可能に固定して取り付けるものであればよい。
【００２２】
次に、図１、２を用いて、ロック部材５００について説明する。
【００２３】
図１、２に示されるように、ロック部材５００は、カバー部１４０のロック部材開口部１４３を介して筐体面のロック部材受け穴１６０に固定される。また、ロック部材５００は、例えば、ケンジントンロック（登録商標）等の電子機器の盗難防止のために一般的に使用されるセキュリティロックである。このロック部材５００は、筐体面に取り付けられたカバー部１４０が第三者によって容易に取り外されることを防止するために用いられるものであり、必ずしも本発明に必要でない。
【００２４】
次に、図１〜４に基づいて、電子機器１０００の構成の詳細について説明する。
【００２５】
図１〜４に示されるように、電子機器１０００は、前述の通り、筐体１００と、カード挿入口１１０と、プラグ受け穴１２０と、プラグ用コネクタ１３０と、カバー部１４０と、固定部材受け穴１５０と、ロック部材受け穴１６０と、ＩＣカード用コネクタ１７０とを有して構成されている。電子機器１０００は、例えば、携帯電話やパーソナルコンピュータやモバイルルータやデジタルテレビなどの電子機器であり、ＩＣカードを筐体１００内に収容するものである。
【００２６】
図１〜４に示されるように、筐体１００は、電子機器１０００の筐体本体であり、プラグ用コネクタ１３０やＩＣカード用コネクタ１７０や電子基板等を収容している。筐体１００の材料には、例えば、ポリスチレンやポリカーボネートやＡＢＳ樹脂等の電子機器に一般的に用いられる合成樹脂を用いることができる。
【００２７】
図２及び図３に示されるように、カード挿入口１１０は、ＩＣカード２００を筐体１００内に挿抜可能に収容するために筐体面に形成されている。また、カード挿入口１１０は、ＩＣカード２００の形状に対応した形状に形成されている。また、ここでは、カード挿入口１１０は、プラグ受部１３１と同一面上に設けられている例を示している。しかしながら、カード挿入口１１０は、必ずしもプラグ受部１３１と同一面上に設けられている必要はない。また、カード挿入口１１０は、ＩＣカード用コネクタ１７０の位置に対応して筐体１００に開口するように設けられる。
【００２８】
図２〜図４に示されるように、プラグ受け穴１２０は、プラグ３００が挿入されるプラグ受部１３１の位置に対応して筐体１００に開口するように設けられている。また、プラグ受け穴１２０の形状は、プラグ受部１３１の形状に対応して形成される。
【００２９】
図２〜図４に示されるように、プラグ用コネクタ１３０は、少なくとも電源を供給するためのプラグ３００が挿抜可能に挿入されるプラグ受部１３１を有し、プラグ受部１３１を筐体面に露出するように筐体１００内に設けられる。なお、プラグ用コネクタ１３０は、本発明のコネクタに相当する。プラグ用コネクタ１３０は、筐体１００内の電子基板等に電気的に接続されている。
【００３０】
図２〜図４に示すように、プラグ受部１３１は、筐体面に露出されている。また、プラグ３００がプラグ受部１３１に挿抜可能に挿入される。プラグ受部１３１は、プラグ３００の端子３１１の形状に対応した形状に形成されている。また、ここでは、プラグ受部１３１は、カード挿入口１１０と筐体１００の同一面上に露出されるように設けられている例を示している。しかしながら、プラグ受部１３１は、必ずしもカード挿入口１１０と同一面上に設けられている必要はない。
【００３１】
図１、２及び４に示されるように、カバー部１４０は、筐体面に着脱可能に取り付けられ、ＩＣカード２００を挿抜できないようにカード挿入口１１０の少なくとも一部を覆う。図２に示されるように、カバー部１４０は、プラグ開口部１４１と固定部材開口部１４２とロック部材開口部１４３とを有する。図１に示されるように、カバー部１４０は、固定部材４００やロック部材５００によって、筐体面に取り付けられる。このように、筐体面に取り付けられたカバー部１４０がカード挿入口１１０の少なくとも一部を覆うことで、ＩＣカード挿入口１１０に挿入されたＩＣカード２００をカード挿入口１１０から抜きとることができなくなる。これにより、筐体１００内に収容されたＩＣカード２００が、第三者によって抜き取られ、盗難されることを防止することができる。また、図４（ａ）、（ｂ）に示されるように、ここでは、カバー部１４０は、カード挿入口１１０の全てを覆う例を示している。そのため、カード挿入口１１０に挿入されたＩＣカード２００を筐体面外側から確認することができないので、第三者によって、ＩＣカード２００が盗難されることをより一層防止することができる。また、プラグ３００が、当該プラグ３００及びプラグ受部１３１の間にカバー部１４０を介在させて、プラグ受部１３１に挿入されたとき、カバー部１４０は、プラグ３００及びプラグ受部１３１の間で保持される。これにより、カバー部１４０は、プラグ受部１３１にプラグ３００が挿入されている間は筐体面から取り外すことができないので、通電中にカード挿入口１１０に挿入されたＩＣカード２００を抜き取ることができなくなる。その結果、ＩＣカード２００内のＩＣ等に記録されているデータの損傷を防止することができる。また、カバー部１４０には、カード挿入口１１０に挿入されたＩＣカード２００が抜けないように、カード挿入口１１０を少なくとも一部覆うことができる剛性をもつ材料が用いられる。例えば、カバー部１４０の材料には、ステンレス鋼や真鍮や銅等の一般的に用いられる金属材料や、ポリスチレンやポリカーボネートやＡＢＳ樹脂等の電子機器に一般的に用いられる合成樹脂を用いることができる。また、図２及び図３に示されるように、ここでは、カード挿入口１１０及びプラグ受部１３１が筐体１００の同一面上に設けられている場合に、カバー部１４０の形状は、一例として平板状である例を示している。一方、カード挿入口１１０及びプラグ受部１３１が筐体１００の同一面上には設けられていない場合、カバー部１４０の形状は、プラグ３００及びプラグ受部１３１の間で保持され且つカード挿入口１１０に挿入されたＩＣカード２００が抜けないようにカード挿入口１１０を少なくとも一部を覆うことができる形状に形成される。
【００３２】
図１、２及び４に示されるように、プラグ開口部１４１は、プラグ３００及びプラグ受部１３１の形状に応じて、カバー部１４０に形成されている。なお、プラグ開口部１４１は、本発明の開口部に相当する。プラグ開口部１４１は、カバー部１４０が筐体面に取り付けられたとき、プラグ受け穴１２０及びプラグ受部１３１の位置に対応する位置に設けられる。図１及び図２に示されるように、ここでは、プラグ開口部１４１の外周部の大きさは、プラグ本体３１０の端子３１１の外周より大きく、且つプラグ本体３１０における端子３１１の根元部側の最大外周よりも小さくなるように形成されている。これにより、カバー部１４０が筐体面に取り付けられた状態で、プラグ３００がプラグ受部１３１に挿入されたとき、カバー部１４０が、プラグ開口部１４１の外周部で、プラグ３００のプラグ本体３１０とプラグ受部１３１との間に保持される。
【００３３】
図１、２及び図４に示されるように、固定部材開口部１４２は、固定部材４００の形状に応じて、カバー部１４０に形成されている。固定部材開口部１４２は、カバー部１４０が筐体面に取り付けられたとき、固定部材受け穴１５０の位置に対応する位置に設けられる。
【００３４】
図１、２及び図４に示されるように、ロック部材開口部１４３は、ロック部材５００の形状に応じて、カバー部１４０に形成されている。ロック部材開口部１４３は、カバー部１４０が筐体面に取り付けられたとき、ロック部材受け穴１６０の位置に対応する位置に設けられる。
【００３５】
図１〜４に示されるように、ＩＣカード用コネクタ１７０は、電子機器１０００の筐体１００内に設けられ、カード挿入口１１０から挿入されるＩＣカード２００を収容する。ＩＣカード用コネクタ１７０の形状は、ＩＣカード２００の形状に対応している。また、ＩＣカード用コネクタ１７０は、ＩＣカード２００の端子に対応する端子を有しており、ＩＣカード２００の端子と互いに接触して電気的に接続する。また、ＩＣカード用コネクタ１７０の端子は、電子機器１０００の筐体１００内にある電子基板等と電気的に接続されている。
【００３６】
次に、図１、２及び４を用いて、カバー部１４０を電子機器１０００の筐体面に取り付ける方法について説明する。
【００３７】
図２に示されるように、まず、ＩＣカード２００をカード挿入口１１０に挿入し、筐体１００内のＩＣカード用コネクタ１７０に収容する。そして、図４（ａ）に示されるように、カバー部１４０を、固定部材４００によって筐体面に取り付ける。このとき、固定部材４００を、固定部材開口部１４２を介して固定部材受け穴１５０に、ネジ止めにより取り付ける。次に、図１、２に示されるように、プラグ３００の端子３１１を、カバー部１４０のプラグ開口部１４１、プラグ受け穴１２０を介して、プラグ用コネクタ１３０のプラグ受部１３１に挿入する。これにより、プラグ３００は、プラグ用コネクタ１３０と電気的に接続される。次に、図１、２に示されるように、ロック部材５００を、ロック部材開口部１４３を介してロック部材受け穴１６０に嵌合して固定する。
【００３８】
次に、図１を用いて、ＩＣカード２００を筐体内に収容し、カバー部１４０及びプラグ３００を筐体面に取り付けた際の電子機器１０００の電気的な接続状態について説明する。
【００３９】
前述の通り、ＩＣカード２００がカード挿入口１１０に挿入されたとき、ＩＣカード２００の端子と筐体１００内の電子基板等とがＩＣカード用コネクタ１７０を介して電気的に接続される。これによって、ＩＣカード２００内のデータの読み込みや書き込みが、電子基板上の各種電子部品によって行われる。また、前述の通り、プラグ３００の端子３１１がプラグ受部１３１に挿入されたとき、プラグ３００の端子３１１と筐体１００内の電子基板等とが電気的に接続される。これにより、プラグ３００に接続された電源供給部から、筐体１００内の電子基板上の各種電子部品に電源が供給される。
【００４０】
以上に説明したように、本発明の第１の実施の形態における電子機器１０００は、カード挿入口１１０と、プラグ用コネクタ１３０と、カバー部１４０とを備えている。カード挿入口１１０は、ＩＣカード２００を筐体１００内に挿抜可能に収容するために筐体面に形成される。プラグ用コネクタ１３０は、少なくとも電源を供給するためのプラグ３００が挿抜可能に挿入されるプラグ受部１３１を有し、プラグ受部１３１を筐体面に露出するように筐体１００内に設けられる。カバー部１４０は、筐体面に着脱可能に取り付けられ、カード挿入口１１０に挿入されたＩＣカード２００が抜けないようにカード挿入口１１０の少なくとも一部を覆う。
【００４１】
このように、筐体面に取り付けられたカバー部１４０がカード挿入口１１０の少なくとも一部を覆うので、ＩＣカード挿入口１１０に挿入されたＩＣカード２００をカード挿入口１１０から抜きとることができなくなる。これにより、本発明にかかる電子機器１０００によれば、筐体１００内に収容されたＩＣカード２００が、第三者によって抜き取られ、盗難されることを防止することができる。
【００４２】
また、プラグ３００が、プラグ３００及びプラグ受部１３１の間にカバー部１４０を介在させて、プラグ受部１３１に挿入されたとき、カバー部１４０は、プラグ３００及びプラグ受部１３１の間で保持される。プラグ開口部１４１は、プラグ３００及びプラグ受部１３１の形状に応じて、カバー部１４０に形成される。
【００４３】
このように、プラグ受部１３１にプラグ３００が挿入されているとき、カバー部１４０は、プラグ３００及びプラグ受部１３１の間で保持されるので、筐体面から取り外すことができない。そのため、筐体１００内に収容されたＩＣカード２００は、無通電時にのみ抜き取ることが可能となる。その結果、通電中のＩＣカード２００の筐体１００への挿抜を防止でき、ＩＣカード２００内のＩＣ等に記録されているデータの損傷を防止することができる。
【００４４】
したがって、本発明の第１の実施の形態における電子機器１０００によれば、ＩＣカード２００の盗難及びＩＣカード２００内のＩＣ等に記録されているデータの損傷を防止することができる。
【００４５】
また、本発明の第１の実施の形態における電子機器１０００において、カード挿入口１１０及びプラグ受部１３１は、筐体１００の同一面上に設けられる。これにより、カード挿入口１１０とプラグ受部１３１をより簡単に形成することができる。また、カード挿入口１１０とプラグ受部１３１とを近接して形成することができ、カバー部１４０をより小さくすることができる。
【００４６】
また、本発明の第１の実施の形態における電子機器１０００において、カバー部１４０は、カード挿入口１１０の一部ではなく全てを覆ように形成されてもよい。その場合、カード挿入口１１０に挿入されたＩＣカード２００を筐体面外側から確認することができないので、第三者によって、ＩＣカード２００が盗難されることをより一層防止することができる。
【００４７】
また、本発明の第１の実施の形態における電子機器１０００において、ロック部材５００は、カバー部１４０のロック部材開口部１４３を介して筐体面のロック部材受け穴１６０に固定される。これにより、筐体面に取り付けられたカバー部１４０が第三者によって容易に取り外されることを防止することができ、筐体１００内に収容されたＩＣカード２００が、第三者によって盗難されることをより一層防止することができる。
＜第２の実施の形態＞
本発明の第２の実施の形態における電子機器１０００Ａについて、図５に基づいて説明する。図５（ａ）は、本発明の第２の実施の形態におけるカバー部１４０Ａを示す斜視図である。図５（ｂ）は、カバー部１４０Ａを筐体面に取り付ける前の状態を示す図である。図５（ｃ）は、カバー部１４０Ａを筐体面に取り付けた後の状態を示す図である。図５（ｄ）は、図５（ｃ）のＡ−Ａ切断線を含み筐体面に対して略垂直な面で切断した断面図である。なお、図５では、図１〜４で示した各構成要素と同等の構成要素には、図１〜４に示した符号と同等の符号を付している。
【００４８】
図５（ｂ）、（ｃ）に示されるように、電子機器１０００Ａは、筐体１００Ａと、カード挿入口１１０と、プラグ受け穴１２０と、プラグ用コネクタ１３０と、カバー部１４０Ａと、固定部材受け穴１５０と、ロック部材受け穴１６０と、ＩＣカード用コネクタ１７０と、第２の係止部１８０とを備えている。また、カバー部１４０Ａは、プラグ開口部１４１と、固定部材開口部１４２と、ロック部材開口部１４３と、第１の係止部１４４とを備えている。なお、図５（ｂ）、（ｃ）において、プラグ用コネクタ１３０とＩＣカード用コネクタ１７０は、図示していない。しかしながら、プラグ用コネクタ１３０とＩＣカード用コネクタ１７０は、図１〜４で示した電子機器１０００と同様に、電子機器１０００Ａの筐体１００Ａ内に設けられている。また、図示しないが、図１〜４で示した電子機器１０００と同様に、電子機器１０００Ａは、ＩＣカード２００を筐体１００Ａ内に収容し、プラグ３００が取り付けられる。
【００４９】
図２と図５（ａ）及び図５（ｄ）とを対比する。図５（ａ）及び図５（ｄ）では、電子機器１０００Ａは、カバー部１４０Ａに形成された第１の係止部１４４と、筐体面に形成され、第１の係止部１４４と互いに係止し合う第２の係止部１８０とを備えた点で、図２に示される電子機器１０００と互いに相違する。以下の説明では、図１〜４で示した構成と同等の構成については、説明を省略する。
【００５０】
図５（ａ）で示されるように、第１の係止部１４４は、カバー部１４０Ａの外周面から突出するように形成されている。また、図５（ｃ）、（ｄ）に示されるように、第１の係止部１４４が、後述の第２の係止部１８０に圧入されることにより、カバー部１４０Ａは、電子機器１０００Ａの筐体面に取り付けられ保持される。また、ここでは、第１の係止部１４４を第２の係止部１８０に圧入して互いに係止し合う場合を示したが、第１の係止部１４４と第２の係止部１８０は、スナップフィット結合構造によって互いに係止し合う構成にしてもよい。また、ここでは、第１の係止部１４４は、カバー部１４０Ａの外周面に１つ形成されている例を示している。しかしながら、第１の係止部１４４は、カバー部１４０Ａの外周面に１つ以上形成されていてもよい。
【００５１】
図５（ｄ）で示されるように、第２の係止部１８０は、筐体面のうちでカバー部１４０Ａが取り付けられる面の外周部に、第１の係止部１４４が圧入するように凹状に形成されている。
【００５２】
以上の通り、本発明の第２の実施の形態における電子機器１０００Ａは、第１の係止部１４４及び第２の係止部１８０を備えている。また、第１の係止部１４４及び第２の係止部１８０は、第１の係止部１４４を第２の係止部１８０に圧入されることによって、互いに係止し合う。これにより、カバー部１４０Ａは、筐体面に固定して保持され、容易に筐体面から取り外すことができなくなる。その結果、固定部材４００やロック部材５００を用いない場合であっても、カバー部１４０Ａを筐体面に取り付けることができ、電子機器１０００Ａに取り付ける部品点数を減らすことができる。
＜第３の実施の形態＞
本発明の第３の実施の形態における電子機器１０００Ｂについて、図６に基づいて説明する。
【００５３】
図６は、電子機器１０００Ｂのカバー部１４０Ｂを筐体面に取り付ける取り付け構造を説明するための図である。図６（ａ）、（ｂ）は、筐体面に取り付けられたカバー部１４０Ｂを電子機器１０００Ｂの筐体１００Ｂ内部から見た図である。図６（ｃ）は、図６（ｂ）を電子機器１０００Ｂの筐体面側から見た図である。なお、図６では、図１〜５で示した各構成要素と同等の構成要素には、図１〜５に示した符号と同等の符号を付している。
【００５４】
電子機器１０００Ｂは、筐体１００Ｂと、カード挿入口１１０と、プラグ受け穴１２０と、プラグ用コネクタ１３０と、カバー部１４０Ｂと、固定部材受け穴１５０と、ロック部材受け穴１６０と、ＩＣカード用コネクタ１７０と、第２の係止部１８０Ａとを備えている。また、カバー部１４０Ｂは、プラグ開口部１４１と、固定部材開口部１４２と、ロック部材開口部１４３と、第１の係止部１４４Ａとを備えている。なお、図６において、カード挿入口１１０と、プラグ受け穴１２０と、プラグ用コネクタ１３０と、固定部材受け穴１５０と、ロック部材受け穴１６０と、ＩＣカード用コネクタ１７０は、図示していない。しかしながら、これらは、図１〜４で示した電子機器１０００と同様の構成である。また、図示しないが、図１〜４で示した電子機器１０００と同様に、電子機器１０００Ｂは、ＩＣカード２００を筐体１００Ｂ内に収容し、プラグ３００が取り付けられる。
【００５５】
ここで、図５（ａ）及び（ｄ）と図６（ａ）及び（ｂ）とを対比する。図５（ａ）、（ｄ）では、第１の係止部１４４は、カバー部１４０Ａの外周面から突出するように形成され、第２の係止部１８０は、筐体面のうちでカバー部１４０Ａが取り付けられる面の外周部に凹状に形成されている構成を採用していた。また、図５（ｄ）では、第１の係止部１４４Ａが、凹状に形成された第２の係止部１８０に圧入する構成を採用していた。これに対して、図６（ａ）、（ｂ）に示されるように、第１の係止部１４４Ａは、筐体面と略平行に移動することにより、第２の係止部１８０Ａと互いに係止し合う構成としている。この点で両者は互いに相違する。以下の説明では、図１〜４で示した構成と同等の構成については、説明を省略する。
【００５６】
図６（ａ）、（ｂ）に示されるように、第１の係止部１４４Ａは、筐体面と略平行に移動することにより、第２の係止部１８０Ａと互いに係止し合う。具体的には、図６（ａ）に示されるように、カバー部１４０Ｂを、筐体面に押し当てる。その後、図６（ｂ）、（ｃ）に示されるように、カバー部１４０Ｂを筐体面に対して略平行（図６（ｂ）の矢印Ｘ方向）に移動させ、第１の係止部１４４Ａと第２の係止部１８０Ａとを互いに係止させ合う。第１の係止部１４４Ａは、カバー部１４０Ｂのうち筐体面と向かい合う面に設けられていることが望ましい。しかしながら、第１の係止部１４４Ａは、カバー部１４０Ｂの外周面に設けられてもよい。また、ここでは、第１の係止部１４４Ａは、Ｌ字型に形成されているが、Ｌ字型に限るものではない。また、ここでは、第１の係止部１４４Ａは、カバー部１４０Ｂに２つ形成されている例を示している。しかしながら、第１の係止部１４４Ａは、カバー部１４０Ｂに少なくとも一つ形成されていればよい。
【００５７】
図６（ａ）、（ｂ）に示されるように、第２の係止部１８０Ａは、カバー部１４０Ｂが取り付けられる筐体１００Ｂのうちで第１の係止部１４４Ａに対応する位置に設けられている。また、第２の係止部１８０Ａは、第１の係止部１４４Ａの数に対応して筐体１００Ｂに少なくとも１つ設けられる。また、ここでは、第２の係止部１８０Ａは、Ｌ字型に形成されているが、Ｌ字型に限るものではない。
【００５８】
以上の通り、本発明の第３の実施の形態における電子機器１０００Ｂは、第１の係止部１４４Ａと第２の係止部１８０Ａとを備え、第１の係止部１４４Ａは、筐体面と略平行に移動することにより、第２の係止部１８０Ａと互いに係止し合う。これにより、カバー部１４０Ｂは、筐体面に固定して保持され、容易に筐体面から取り外すことができなくなる。その結果、固定部材４００やロック部材５００を用いない場合であっても、カバー部１４０Ｂを筐体面に取り付けることができ、電子機器１０００Ｂに取り付ける部品点数を減らすことができる。また、第１の係止部１４４Ａは、カバー部１４０Ｂのうち筐体面と向かい合う面に設けられ、且つ第２の係止部１８０Ａは、第１の係止部１４４Ａと向かい合う位置に形成されてもよい。これにより、筐体面外側から第１の係止部１４４Ａと第２の係止部１８０Ａとが係止し合う状態を確認することができない。その結果、第三者は、カバー部１４０Ｂを容易に取り外すことができないので、筐体１００Ｂ内に収容されたＩＣカード２００が盗難されることをより一層防止することができる。
＜第４の実施の形態＞
本発明の第４の実施の形態における電子機器１０００Ｃについて、図７に基づいて説明する。
【００５９】
図７は、電子機器１０００Ｃのカバー部１４０Ｃを筐体面に取り付ける取り付け構造を説明するための図である。図７（ａ）は、カバー部１４０Ｃを筐体面に取り付ける前の状態を示す図である。図７（ｂ）は、第１の係止部１４４Ｂと第２の係止部１８０Ｂが嵌合した状態を示す図である。図７（ｃ）は、図７（ｂ）における第１の係止部１４４Ｂと第２の係止部１８０Ｂとが嵌合した状態を示す断面図である。図７（ｄ）は、カバー部１４０Ｃを、電子機器１０００Ｃの筐体面に取り付けた後の状態を示す図である。図７（ｅ）は、図７（ｄ）のＢ−Ｂ切断線を含み筐体面に対して略垂直な面で切断した断面図である。なお、図７では、図１〜６で示した各構成要素と同等の構成要素には、図１〜６に示した符号と同等の符号を付している。
【００６０】
電子機器１０００Ｃは、筐体１００Ｃと、カード挿入口１１０と、プラグ受け穴１２０と、プラグ用コネクタ１３０と、カバー部１４０Ｃと、固定部材受け穴１５０と、ロック部材受け穴１６０と、ＩＣカード用コネクタ１７０と、第２の係止部１８０Ｂとを備えている。また、カバー部１４０Ｃは、プラグ開口部１４１と、固定部材開口部１４２と、ロック部材開口部１４３と、第１の係止部１４４Ｂとを備えている。なお、図７において、プラグ用コネクタ１３０と、ＩＣカード用コネクタ１７０は、図示していない。しかしながら、これらは、図１〜４で示した電子機器１０００と同様の構成である。また、図示しないが、図１〜４で示した電子機器１０００と同様に、電子機器１０００Ｃは、ＩＣカード２００を筐体１００Ｃ内に収容し、プラグ３００が取り付けられる。
【００６１】
ここで、図５（ａ）及び（ｄ）と図７（ａ）〜（ｃ）とを対比する。図５（ａ）及び（ｄ）では、第１の係止部１４４は、カバー部１４０Ａの外周面から突出するように形成され、第２の係止部１８０は、筐体面のうちでカバー部１４０Ａが取り付けられる面の外周部に凹状に形成されている構成を採用していた。また、図５では、第１の係止部１４４は、凹状に形成された第２の係止部１８０に圧入する構成を採用していた。これに対して、図７（ａ）〜（ｃ）に示されるように、第１の係止部１４４Ｂは、カバー部１４０Ｃのうち筐体面と向かい合う面に突出するように形成され、第２の係止部１８０Ｂは、筐体面のうち第１の係止部１４４Ｂと向かい合う位置に形成され、第１の係止部１４４Ｂと嵌合する構成としている。この点で両者は互いに相違する。以下の説明では、図１〜６で示した構成と同等の構成については、説明を省略する。
【００６２】
図７（ａ）、（ｂ）に示されるように、第１の係止部１４４Ｂは、カバー部１４０Ｃのうち筐体面と向かい合う面に突出するように形成されている。また、ここでは、第１の係止部１４４Ｂは、カバー部１４０Ｃに２つ形成されている例を示している。しかしながら、第１の係止部１４４Ｂは、カバー部１４０Ｃのうち筐体面と向かい合う面に少なくとも１つ形成されていればよい。
【００６３】
図７（ａ）、（ｂ）、（ｄ）に示されるように、第２の係止部１８０Ｂは、筐体面のうち第１の係止部１４４Ｂと向かい合う位置に形成されている。また、第２の係止部１８０Ｂは、第１の係止部１４４Ｂと嵌合する嵌合穴である。また、第２の係止部１８０Ｂは、第１の係止部１４４Ｂの数に対応して筐体面に少なくとも１つ設けられる。
【００６４】
次に、カバー部１４０Ｃを筐体面に取り付ける方法について説明する。
【００６５】
図７（ａ）〜（ｃ）に示されるように、カバー部１４０Ｃの一方の端部側に設けられた第１の係止部１４４Ｂを、対応する位置に設けられた第２の係止部１８０Ｂに嵌合させる。次に、図７（ｄ）、（ｅ）に示されるように、他方の第１の係止部１４４Ｂを、対応する位置に設けられた第２の係止部１８０Ｂに嵌合させる。これらにより、カバー部１４０Ｃは、電子機器１０００Ｃの筐体面に取り付けられる。
【００６６】
以上の通り、本発明の第４の実施の形態における電子機器１０００Ｃは、第１の係止部１４４Ｂ及び第２の係止部１８０Ｂを備えている。また、第１の係止部１４４Ｂ及び第２の係止部１８０Ｂは、第１の係止部１４４Ｂを第２の係止部１８０Ｂに嵌合させることによって互いに係止し合う。また、第１の係止部１４４Ｂは、カバー部１４０Ｃのうち筐体面と向かい合う面に突出するように形成され、第２の係止部１８０Ｂは、筐体面のうち第１の係止部１４４Ｂと向かい合う位置に形成される。これにより、筐体面外側から第１の係止部１４４Ｂと第２の係止部１８０Ｂとが係止し合う状態を確認することができない。その結果、第三者は、カバー部１４０Ｃを容易に取り外すことができないので、筐体１００Ｃ内に収容されたＩＣカード２００が盗難されることをより一層防止することができる。
＜第５の実施の形態＞
本発明の第５の実施の形態における電子機器１０００Ｄについて、図８に基づいて説明する。
【００６７】
図８は、電子機器１０００Ｄのカバー部１４０Ｄを筐体面に取り付ける取り付け構造を説明するための図である。図８（ａ）は、カバー部１４０Ｄを筐体面に取り付ける前の状態を示す図である。図８（ｂ）は、カバー部１４０Ｄを筐体面に取り付けた後の状態を示す図である。図８（ｃ）は、図８（ｂ）のＤ−Ｄ切断線を含み筐体面に対して略垂直な面で切断した断面図である。なお、図８では、図１〜４で示した各構成要素と同等の構成要素には、図１〜４に示した符号と同等の符号を付している。
【００６８】
電子機器１０００Ｄは、筐体１００Ｄと、カード挿入口１１０と、プラグ受け穴１２０と、プラグ用コネクタ１３０と、カバー部１４０Ｄと、固定部材受け穴１５０と、ロック部材受け穴１６０と、ＩＣカード用コネクタ１７０と、一対の切り欠き１９０Ａ及び１９０Ｂと、を備えている。また、カバー部１４０Ｄは、プラグ開口部１４１と、固定部材開口部１４２と、ロック部材開口部１４３とを備えている。なお、図８において、プラグ用コネクタ１３０と、ＩＣカード用コネクタ１７０は、図示していない。しかしながら、これらは、図１〜４で示した電子機器１０００と同様の構成である。また、図示しないが、図１〜４で示した電子機器１０００と同様に、電子機器１０００Ｄは、ＩＣカード２００を筐体１００Ｄ内に収容し、プラグ３００が取り付けられる。
【００６９】
ここで、図２と図８（ａ）とを対比する。図８（ａ）では、筐体１００Ｄの筐体面のうちでカバー部１４０Ｄが取り付けられる面の外周部に一対の切り欠き１９０Ａ及び１９０Ｂを構成した点で、図２に示した筐体１００と相違する。以下の説明では、図１〜４で示した構成と同等の構成については、説明を省略する。
【００７０】
図８（ａ）〜（ｃ）に示されるように、一対の切り欠き１９０Ａ及び１９０Ｂは、筐体面のうちでカバー部１４０Ｄが取り付けられる面の外周部の一部に、筐体１００Ｄの厚み方向に形成されている。なお、一対の切り欠き１９０Ａ及び１９０Ｂは、本発明の第２の係止部に相当する。また、図８（ａ）〜（ｃ）に示されるように、切り欠き１９０Ａ及び１９０Ｂ間の長さＣ−Ｃは、カバー部１４０Ｄの長手方向の長さに対応している。また、図８（ｃ）に示されるように、一対の切り欠き１９０Ａ及び１９０Ｂの筐体１００Ｄの厚み方向の幅は、カバー部１４０Ｄの厚みに対応している。図８（ｂ）、（ｃ）に示されるように、カバー部１４０Ｄの両端部が、一対の切り欠き１９０Ａ及び１９０Ｂに差し込まれる。これにより、カバー部１４０Ｄが筐体面に取り付けられる。なお、カバー部１４０Ｄの両端部は、本発明の第１の係止部に相当する。
【００７１】
以上の通り、本発明の第５の実施の形態における電子機器１０００Ｄは、筐体１００Ｄの筐体面のうちでカバー部１４０Ｄが取り付けられる面の外周部に一対の切り欠き１９０Ａ及び１９０Ｂを備えている。これにより、カバー部１４０Ｄの両端部が一対の切り欠き１９０Ａ及び１９０Ｂに差し込まれたとき、カバー部１４０Ｄは、筐体面に固定して保持されるので、筐体面から容易に取り外すことができなくなる。その結果、固定部材４００やロック部材５００を用いない場合であっても、カバー部１４０Ｄを筐体面に取り付けることができ、電子機器１０００Ｄに取り付ける部品点数を減らすことができる。
【００７２】
以上、実施の形態をもとに本発明を説明した。実施の形態は例示であり、本発明の主旨から逸脱しない限り、上述の実施の形態に対して、さまざまな変更、増減、組合せを加えてもよい。
【符号の説明】
【００７３】
１００    筐体
１００Ａ    筐体
１００Ｂ    筐体
１００Ｃ    筐体
１００Ｄ    筐体
１１０    カード挿入口
１２０    プラグ受け穴
１３０    プラグ用コネクタ
１３１    プラグ受部
１４０    カバー部
１４０Ａ    カバー部
１４０Ｂ    カバー部
１４０Ｃ    カバー部
１４０Ｄ    カバー部
１４１    プラグ開口部
１４２    固定部材開口部
１４３    ロック部材開口部
１４４    第１の係止部
１４４Ａ    第１の係止部
１４４Ｂ    第１の係止部
１５０    固定部材受け穴
１６０    ロック部材受け穴
１７０    ＩＣカード用コネクタ
１８０    第２の係止部
１８０Ａ    第２の係止部
１８０Ｂ    第２の係止部
１９０Ａ    一対の切り欠き
１９０Ｂ    一対の切り欠き
２００    ＩＣカード
３００    プラグ
３１０    プラグ本体
３１１    端子
４００    固定部材
５００    ロック部材
１０００    電子機器
１０００Ａ    電子機器
１０００Ｂ    電子機器
１０００Ｃ    電子機器
１０００Ｄ    電子機器
【図１】
2014191427.tif 000003
【図２】
2014191427.tif 000004
【図３】
2014191427.tif 000005
【図４】
2014191427.tif 000006
【図５】
2014191427.tif 000007
【図６】
2014191427.tif 000008
【図７】
2014191427.tif 000009
【図８】
2014191427.tif 000010